(57)【要約】      （修正有）【課題】多様化されたノブ構造を有し、キャビネットに設けられ、さらに盗難防止機能を持つキャビネット錠及び前記キャビネット錠を有するキャビネットを提供する。【解決手段】キャビネット錠１は、外ハウジング１０と、ロック機構４００と、制限ユニット５００とを備える。外ハウジングは、本体部とパネル３００とを有し、本体部とパネルとが結合して受容領域を形成する。ロック機構は受容領域内に設ける。制限ユニットがロック機構に接続され、一部が外ハウジングの外部に突出し、ロック機構は、制限ユニットが開位置及び閉位置までに移動するよう選択的に制限または許容する。外ハウジングは外へ一部延出し、パネルの外面に突出するノブ２０が形成され、当該ノブがパネル側に手持ち空間を形成する。キャビネットは、キャビネット本体部と、扉と、キャビネット錠とを含み、キャビネット錠がキャビネットの扉に設けられる。【選択図】図２Ｂ
0003185115.tif 000002
【実用新案登録請求の範囲】
【請求項１】
本体部とパネルとを有し、前記本体部と前記パネルとが結合して受容領域を形成する外ハウジングと、
前記受容領域内に設けられるロック機構と、
前記ロック機構に接続され、前記制限ユニットが開位置及び閉位置までに移動するよう選択的に制限または許容する制限ユニットとを備え、
前記外ハウジングは、外へ一部延出し、前記パネルの外面に突出するノブが形成され、当該ノブが前記パネル側において手持ち空間を形成することを特徴とするキャビネット錠。
【請求項２】
前記パネルに複数の露出孔が形成され、前記ロック機構は、複数のダイヤルを含む暗証番号式錠を有し、前記ダイヤルは、これらの露出孔から前記パネルより一部突出されることを特徴とする請求項１に記載のキャビネット錠。
【請求項３】
前記制限ユニットは、前記外ハウジングの外に突出される閂板を含むことを特徴とする請求項１に記載のキャビネット錠。
【請求項４】
前記制限ユニットは、前記閂板に接続された開放部材をさらに含み、前記閂板の作動が前記開放部材の操作により制御され、前記パネルに貫通孔がさらに形成され、前記開放部材が前記貫通孔から突出して前記パネルに設けられることを特徴とする請求項３に記載のキャビネット錠。
【請求項５】
前記本体部は、前記パネルに対向する底部を有し、かつ、前記閂板が前記底部に実質的に平行し、前記開放部材は摘みを有し、前記摘みの回動により前記底部に対する前記閂板の回転が駆動されることを特徴とする請求項４に記載のキャビネット錠。
【請求項６】
前記開放部材は、鍵式錠をさらに有し、前記鍵式錠が解錠されている場合には、前記ロック機構は、前記開放部材の操作を規制することができないことを特徴とする請求項４に記載のキャビネット錠。
【請求項７】
前記ノブは、延出方向を有する直立部を含み、前記延出方向が前記パネルがある平面における法線と交わって鋭角を成すことを特徴とする請求項１に記載のキャビネット錠。
【請求項８】
前記ノブは、前記パネルの少なくとも一方側から前記本体部の反対側に延出されることを特徴とする請求項１に記載のキャビネット錠。
【請求項９】
前記ノブは、前記パネルの隣接する両側辺の間の角隅領域から前記本体部の反対側に延出されることを特徴とする請求項１に記載のキャビネット錠。
【請求項１０】
前記ノブは、前記直立部から前記外ハウジングと離れる方向に延出し、前記パネルがある平面に実質的に平行するグリップ部をさらに含むことを特徴とする請求項７に記載のキャビネット錠。
【請求項１１】
前記グリップ部は、プレート部を含み、前記プレート部の形状は、矩形、台形、三角形、少なくとも一部の円形、少なくとも一部の楕円状及び少なくとも一部の環状を含むことを特徴とする請求項１０に記載のキャビネット錠。
【請求項１２】
前記グリップ部の一面に模様または溝が形成されることを特徴とする請求項１０に記載のキャビネット錠。
【請求項１３】
前記グリップ部は、前記グリップ部の端部に形成され、前記本体部に延出されるフランジを含むことを特徴とする請求項１０に記載のキャビネット錠。
【請求項１４】
前記直立部は、前記グリップ部を前記パネルの隣接する両側辺、対向する両側辺、または、隣接する両側辺の間の角隅領域に接続することを特徴とする請求項１０に記載のキャビネット錠。
【請求項１５】
前記直立部と前記グリップ部との接続箇所は、交角または曲面を形成することを特徴とする請求項１０に記載のキャビネット錠。
【請求項１６】
前記パネルを囲む枠状構造をさらに含み、前記枠状構造は、枠の内側の少なくとも一部で前記パネルに接続し、一部が前記パネルから離れる方向に略直立に延出してから曲折され、前記ノブを形成することを特徴とする請求項１に記載のキャビネット錠。
【請求項１７】
前記プレート部は、略波形状のように起伏する形態を有することを特徴とする請求項１１に記載のキャビネット錠。
【請求項１８】
収納空間を形成するとともに開口部を有するキャビネット本体部と、
前記開口部の側縁において前記キャビネット本体部に枢着された扉と、
前記キャビネットの扉に設けられた請求項１〜１７に記載のキャビネット錠と、を含むことを特徴とするキャビネット。
【請求項１９】
前記扉と前記キャビネット本体部との間に相対的運動を有し、前記開口部が前記扉に遮蔽された時に、前記キャビネット錠は、施錠操作により前記キャビネット本体部に対する前記扉の運動を規制することを特徴とする請求項１８に記載のキャビネット。
【請求項２０】
前記扉にセット孔が形成され、前記キャビネット錠は前記セット孔を通って前記扉に設置され、前記ノブと前記パネルとが前記セット孔の同一側に位置することを特徴とする請求項１８に記載のキャビネット。
【請求項２１】
前記ノブの少なくとも一部と前記扉とが少なくとも一部の前記手持ち空間で隔てられることを特徴とする請求項１８に記載のキャビネット。
【考案の詳細な説明】
【技術分野】
【０００１】
本考案は、施錠装置に係り、具体的には、キャビネット錠及びそれを用いるキャビネットに関する。
【背景技術】
【０００２】
施錠装置は、単独に使用される以外に、他の装置、例えば、USBメモリやコンピュータ錠、施錠手段付きノート、施錠可能なキャビネット等に合わせて使用することができる。これらのロックは、一般に、別の装置の構造及び使用方法に合わせて設計されており、例えば、キャビネット錠がキャビネットの扉に設けられ、回転可能な閂板を有し、扉が閉じられた後、ユーザの操作に伴い回動してキャビネット本体に係止され、キャビネット錠の施錠操作により当該閂板をロックすることができる。
【０００３】
従来のキャビネット錠は、その大半がキャビネットを施錠する機能のみのものであり、或いは、図１Ａ〜１Ｂに示すように、ユーザの手の少なくとも一部が伸入して扉９を操作するために、キャビネット錠１’のパネルに溝２’が簡易に形成されている。一方、キャビネット錠１’を内部に嵌め込んでセットするために、扉９にセット孔９０が設けられている。さらに、パネルが溝２’を覆うための十分な面積を有しなければならないため、扉９も、パネルの大きさに応じて相応するセット孔９０を開設する必要がある。また、溝２’は、通常、その大きさや深さの面でしか変化しておらず、言い換えれば、手の少なくとも一部のみを溝２’に入れて扉９を操作するため、異なる手の操作方式に適し、または異なる扉の設計に合わせるように、異なるキャビネット錠を設計することが、必要である。
【考案の概要】
【０００４】
本考案は、多様化されたノブ構造を有するキャビネット錠を提供することを目的とする。
【０００５】
さらに、キャビネットに設けられて用いるキャビネット錠を提供することを目的とする。
【０００６】
さらに、様々なキャビネットの設計に適用されるキャビネット錠を提供することを目的とする。
【０００７】
さらに、盗難防止機能を有し、盗難防止用のキャビネット錠に用いられ、とキャビネットの開閉を操作する構造と統合されるキャビネットを提供することを目的とする。
【課題を解決するための手段】
【０００８】
本考案に係るキャビネット錠は、外ハウジングと、ロック機構と、制限ユニットとを備える。外ハウジングは、本体部とパネルとを有し、本体部とパネルとが結合して受容領域を形成する。ロック機構は受容領域内に少なくとも一部設けられる。制限ユニットがロック機構に接続され、一部が外ハウジングの外部に突出され、ロック機構は、制限ユニットが開位置及び閉位置までに移動するよう選択的に制限または許容する。また、外ハウジングは外へ一部延出し、パネルの外面に突出するノブが形成され、当該ノブがパネル側において手持ち空間を形成する。
【０００９】
ロック機構は、複数のダイヤルを含む暗証番号式錠を有し、パネルに複数の露出孔がさらに形成され、これらのダイヤルがこれらの露出孔に対応し内部からパネルに一部突出される。制限ユニットは、閂板と開放部材とを含み、閂板が外ハウジングの外に延出され、開放部材の操作により閂板の回動を制御する。また、パネルに貫通孔が形成され、開放部材が貫通孔からパネルより突出される。
【００１０】
ノブは、本体部またはパネルの少なくとも一方の側辺或いはパネルの隣接する両側辺の間の角隅領域から本体部の反対側に延出し、かつ、当該延出方向はパネルがある平面における法線の方向に略平行する。ノブは、直立部とグリップ部とをさらに含み、直立部が本体部またはパネルに接続して直立に延出し、その延出方向がパネルがある平面における法線と交わって鋭角を成し、グリップ部は直立部から外ハウジングと離れる方向に延出し、かつ、該延出方向はパネルがある平面に平行する。また、直立部とグリップ部との境界は交角であってよいし、境界及びその近傍領域がともに流線状の曲面を形成してもよい。ノブのグリップ部は、プレート部を含み、プレート部の形状は、矩形、台形、三角形、円形またはその一部、楕円状またはその一部、環状又はその一部などの幾何形状、または不規則形状を含む。さらに、グリップ部またはプレート部に模様や溝が形成されるか、グリップ部の端部にフランジが形成される。
【００１１】
本考案に係るキャビネットは、キャビネット本体部と、扉と、前記のキャビネット錠とを含む。キャビネット本体部は収納空間を形成するとともに開口部を有し、扉が開口部の側縁においてキャビネット本体部に枢着され、そのうち、扉にセット孔が形成され、キャビネット錠はその外ハウジングの本体部がセット孔を通ることにより扉に設置される。そのため、本体部がセット孔により本体部の少なくとも一部をセット孔の一方側に位置させ扉の一方側の表面に突出される。一方、ノブとパネルとがセット孔の他方側に位置し、ノブが扉の他方側の表面、すなわち扉が収納空間に向いていない側の表面から突出される。ノブのグリップ部と扉とは、少なくとも一部の手持ち空間を隔てる。
【図面の簡単な説明】
【００１２】
【図１Ａ】従来のキャビネット錠を示す模式図である。
【図１Ｂ】従来のキャビネット錠を示す模式図である。
【図２Ａ】本考案のキャビネット錠の実施例を示す模式図である。
【図２Ｂ】本考案のキャビネット錠の実施例を示す模式図である。
【図２Ｃ】本考案のキャビネット錠の実施例を示す模式図である。
【図３Ａ】本考案のキャビネット錠の実施例を示す部分模式図である。
【図３Ｂ】本考案のキャビネット錠の他の実施例を示す部分模式図である。
【図３Ｃ】本考案のキャビネット錠の他の実施例を示す模式図である。
【図４Ａ】本考案のキャビネット錠の他の実施例を示す模式図である。
【図４Ｂ】本考案のキャビネット錠の他の実施例を示す模式図である。
【図４Ｃ】本考案のキャビネット錠の他の実施例を示す模式図である。
【図５Ａ】本考案のキャビネット錠の他の実施例を示す模式図である。
【図５Ｂ】本考案のキャビネット錠の他の実施例を示す模式図である。
【図５Ｃ】本考案のキャビネット錠の他の実施例を示す模式図である。
【図６Ａ】本考案のキャビネット錠の他の実施例を示す模式図である。
【図６Ｂ】本考案のキャビネット錠の他の実施例を示す模式図である。
【図６Ｃ】本考案のキャビネット錠の他の実施例を示す模式図である。
【図７Ａ】本考案のキャビネット錠の他の実施例を示す模式図である。
【図７Ｂ】本考案のキャビネット錠の他の実施例を示す模式図である。
【図７Ｃ】本考案のキャビネット錠の他の実施例を示す模式図である。
【図８Ａ】本考案のキャビネット錠の他の実施例を示す模式図である。
【図８Ｂ】本考案のキャビネット錠の他の実施例を示す模式図である。
【図８Ｃ】本考案のキャビネット錠の他の実施例を示す模式図である。
【図９Ａ】本考案のキャビネット錠の他の実施例を示す模式図である。
【図９Ｂ】本考案のキャビネット錠の他の実施例を示す模式図である。
【図９Ｃ】本考案のキャビネット錠の他の実施例を示す模式図である。
【図１０Ａ】本考案のキャビネット錠の他の実施例を示す模式図である。
【図１０Ｂ】本考案のキャビネット錠の他の実施例を示す模式図である。
【図１０Ｃ】本考案のキャビネット錠の他の実施例を示す模式図である。
【図１１Ａ】本考案のキャビネット錠の他の実施例を示す模式図である。
【図１１Ｂ】本考案のキャビネット錠の他の実施例を示す模式図である。
【図１１Ｃ】本考案のキャビネット錠の他の実施例を示す模式図である。
【図１２Ａ】本考案のキャビネット錠の他の実施例を示す模式図である。
【図１２Ｂ】本考案のキャビネット錠の他の実施例を示す模式図である。
【図１２Ｃ】本考案のキャビネット錠の他の実施例を示す模式図である。
【図１３Ａ】本考案のキャビネットの実施例を示す模式図である。
【図１３Ｂ】本考案のキャビネットの実施例を示す模式図である。
【考案を実施するための形態】
【００１３】
図２Ａ〜図２Ｃ及び図３Ａ〜図３Ｃに示すように、本考案に係るキャビネット錠１は、外ハウジング１０と、ロック機構４００と、制限ユニット５００とを備え、外ハウジング１０は、その内部にロック機構４００と制限ユニット５００とを少なくとも一部設置するとともに保護するよう機能している。ロック機構４００の解錠操作／状態は、図２Ａにおける小さい図に示すようにロック対象物、例えばキャビネットのロックを解除するように、制限ユニット５００が解錠位置５００Ｏまで移動することを許容する。或いは、図２Ａにおける大きな図に示すように、ロック機構４００の施錠操作／状態は、キャビネットをロックするように、制限ユニット５００が施錠位置５００Ｃまで移動することを許容し、さらに、それと同時に制限ユニット５００が解錠位置までも移動することが好ましい。一般に、制限ユニット５００の移動はユーザの操作により行われる。また、外ハウジング１０は外へ一部延出してノブ２０を形成する。
【００１４】
外ハウジング１０は、本体部とパネルとを含んでよく、ここで本体部とパネルとが結合して受容領域を形成する。一方、前記のノブ２０はパネルの外面に突出し、パネル側に手持ち空間が形成されている（後述する）。図３Ａに示す実施例のように、外ハウジング１０は、本体部２００とパネル３００とを含み、本体部２００は、内部に前記ロック機構及び制限ユニット５００の少なくとも一部を設置するために、底部２０２と底部２０２を囲む側壁２３０とで形成される受容領域２５０を有することが好ましい。また、受容領域２５０の輪郭及び容積は、底部２０２の形状及び／または側壁２３０の高さによって変化してもよく、好ましくは、受容領域２５０が直方体またはその他の類似形状であってよく、底部２０２は、少なくとも一部が平坦な領域で、受容領域２５０の開口２０００に略対向することが好ましい。一方、パネル３００と本体部２００とは、例えば、ネジ締め、粘着、係着、溶接などの方式で接続されることにより、本体部２００の開口２０００を遮蔽するとともに閉鎖した受容領域２５０を形成し、好ましくは、パネル３００の面積が当該開口２０００及びその周りの側壁２３０の上部の総面積よりも大きく、本体部２００の側壁２３０を超えるように突出している。また、ロック機構４００及び制限ユニット５００を一部露出または外部に突出させ、ユーザが施解錠を操作可能にするために、本体部２００及び／またはパネル３００上に孔が形成されている。また、制限ユニット５００は、ロック機構４００の施解錠操作により、例えば、キャビネットへのロックを施解錠することができる。
【００１５】
その他の実施例では、図３Ｃに示すように、外ハウジング１０は、第一本体部１１０と第二本体部１２０とを含み、前記のパネル３００は、第一本体部１１０の一部であり、第二本体部１２０と第一本体部１１０の一部とが前記の本体部に相当する。また、第二本体部１２０は、前記のような底部２０２と底部２０２を囲む第二側壁１２５とを含み、第一本体部１１０は、パネル３００を上部とした外、さらに、第一側壁１１５を含み、そのうち、好ましくは、第一側１１５がパネル３００の側縁から離れて囲んでいる。言い換えれば、パネル３００は第一側壁１１５上部を超えるよう突出している。第一本体部１１０と第二本体部１２０とを結合する場合には、例として、第二本体部１２０の底部２０２と反対の側縁と第一本体部１１０のパネル３００と反対の側縁とを互いに接続して、受容領域を囲んで形成する。他の実施例では、第一本体部１１０は、第二本体部１２０に対してカバーするよう嵌合してもよく、すなわち、第一側壁１１５が囲む面積の大きさは、第二側壁１２５の外に十分に嵌合可能であるように設定されている。
【００１６】
本考案の好ましい実施例では、ロック機構４００は、ユーザがダイヤルを回して解錠、施錠または暗証番号の設定を行うために、複数のダイヤル４５０を含む暗証番号式錠を有し、例として、ユーザが正確な暗証番号までダイヤルを回して解錠操作を完了すると、ロック機構４００はさらに、制限ユニット５００が解錠位置まで移動して例えばキャビネットに対するロック（後述する）を解除するように制限ユニット５００を開放する。さらに、パネル３００に複数の露出孔３０１が形成され、パネル３００が本体部２００に接続して開口２０００を遮蔽すると、これらの露出孔３０１はこれらのダイヤル４５０と一対一で対応し、かつ、これらのダイヤル４５０は、これらの露出孔３０１から一部露出する。
【００１７】
本考案の好ましい実施例では、前記制限ユニット５００は、本体部２００の外に突出する閂板５２０を含む。具体的には、好ましくは、閂板５２０が本体部２００の外で本体部２００の底部２０２に実質的に平行している。また、制限ユニット５００は、例えば、摘み等の開放部材５１０をさらに含み、閂板５２０を底部２０２に対して回転するよう選択的に駆動し、言い換えれば、ロック機構４００が施錠してある場合には、ロック機構４００は、開放部材５１０、例えば摘みの回転を規制しているため、ユーザは、閂板５２０を図２Ａにおける大きな図及び図２Ｂ〜２Ｃに示すロック状態から非ロック状態まで回転して駆動させるよう（後述する）開放部材５１０を操作することができず、そのうち、閂板５２０が、底部２０２に対する回動によりロック対象物を施解錠することは、周知のことである。一方、開放部材５１０は、さらに鍵式錠５１５をさらに含んでもよく、すなわち、本考案のキャビネット錠１は、ダブルロック型錠であってもよいし、鍵式錠５１５は、ユーザが暗証番号錠の暗証番号を忘れた場合には、鍵で別に解錠してキャビネットを開くことに用いられてもよい。
【００１８】
好ましくは、本考案のキャビネット錠１は、例えばキャビネットなど、キャビネット本体部のような固定ユニットと扉のような開閉ユニットとを有する装置に取り付けられている。キャビネットの場合、すなわち、キャビネット錠１が扉に取り付けられ、そのうち、外ハウジング１０から外へ一部延出して形成されるノブ２０は、ユーザが扉の開度を制御するためにも用いられる一方、ノブ２０は、キャビネット錠１の装着に伴いキャビネットに付けられるため、キャビネットに別に形成または取り付ける必要はない。本考案の好ましい実施例では、図２Ｂ〜２Ｃ及び図３Ａ〜３Ｃに示すように、ノブ２０はパネル３００または本体部２００から外へ延出し、かつパネル３００の外面３０５から突出している。ここで、ノブ２０は、直立に延出する直立部２１を有し、その延出方向Ｄは、パネル３００がある平面における法線Ｎに平行する方向成分を有し、かつ法線Ｎと交わって鋭角を成す。すなわち、延出方向Ｄと法線Ｎとが交わって０度以上９０度未満の角度を成しており、延出方向Ｄと法線Ｎとが交わった角度が０度であると、直立部２１は法線Ｎと実質的に平行する。
【００１９】
本考案の好ましい実施例では、ノブ２０またはその直立部２１は、パネル３００の少なくとも一方の側縁から本体部２００の反対側に向かってパネル３００の法線Ｎに略平行する方向に延出している。ここで、図２Ａ〜２Ｃ、図４Ａ〜４Ｃ及び図５Ａ〜５Ｃに示すように、ノブ２０は、パネル３００の一方の側縁、すなわちパネル３００を正面から見るユーザにとってその右手側、または図６Ａ〜６Ｃに示す下方の側縁から本体部２００の反対側に向かってパネル３００の法線Ｎに略平行する方向に延出している。また、図７Ａ〜７Ｃに示す実施例では、ノブ２０の両端は、それぞれ、パネル３００の対向する両側から本体部２００の反対側に延出している。図８Ａ〜８Ｃ、図９Ａ〜９Ｃ、及び図１２Ａ〜１２Ｃに示す実施例では、ノブ２０がパネル３００の隣接する両側から本体部２００の反対側に延出している。図１０Ａ〜１０Ｃ及び図１１Ａ〜１１Ｃに示す実施例では、ノブ２０は、パネル３００の隣接する両側辺の間の角隅領域から本体部２００の反対側に延出している。
【００２０】
前記のノブ２０とパネル３００とは、外ハウジング１０の形成に伴い一体に成形されてもよいし、ノブ２０及びパネル３００と本体部２００とは、それぞれ形成した後、接続により外ハウジング１０を形成してもよく、そのうち、ノブ２０とパネル３００とは一体に成形したり、それぞれ形成した後接続したりしてもよい。ノブ２０が別に形成された後パネル３００に接続する場合には、ノブ２０は、パネル３００の少なくとも一側辺、例えば、隣接する両側辺、対向する両側辺、隣接する両側辺の間の角隅領域に接続すればよく、或いは、パネル３００におけるノブ２０の接続割合を増加させるため、ノブ２０は枠状構造６０の一部であってよく、図７Ａ〜７Ｃに示すように、ここで、枠状構造６０全体がパネル３００を囲み、かつ、フレームの内側がパネル３００の側辺に少なくとも一部接続され、また、枠状構造６０のうち少なくとも一方側の部分がパネル３００から離れる方向に略直立に延出してから曲折され、ノブ２０を形成する。また、具体的には、枠状構造６０は、フレーム内側でパネル３００の３つの側辺に接続してよく、パネル３００に接続されていない部分がパネル３００から離れる方向に略直立に延出してから曲折され、ノブ２０を形成する。
【００２１】
本考案のノブ２０は、直立部２１の他、グリップ部２２をさらに含むことが好ましく、ここで、グリップ部２２は、主にユーザの手が扉を操作するよう掴むために用いられる。前述のように、直立部２１は、大体において、パネル３００の少なくとも一側辺から本体部２００の反対側に向かってパネル３００の法線Ｎに略平行する方向に延出している。言い換えれば、直立部２１は、パネル３００に略垂直に接続され、好ましくは直立部２１と本体部２００とはパネル３００の対向する両側に位置する。また、直立部２１は、パネル３００の一側辺のみに接続してもよいし、パネル３００の隣接、対向する両側辺に接続してもよいし、パネル３００の連接する両側辺の間の角隅領域に接続してもよい。グリップ部２２は、直立部２１から外ハウジング１０と離れる方向に向かって延出し、延出方向はパネル３００がある平面に略平行する。そのため、直立部２１とグリップ部２２とがノブ２０の曲折した外見を構成するとともに、パネル３００側におけるノブ２０の手持ち空間２５を形成し、ユーザが手でグリップ部２２を掴みやすくする。より好ましくは、グリップ部２２は、プレート部２２０を含み、また、図２Ａ、図４Ａ、図５Ａ．．．図１２Ａ等に示すパネル３００を正面から見る正面図では、プレート部２２０が異なる形状を有してもよいことが分かる。しかし、これに限られず、すなわち、グリップ部２２は、例えば、ロッド状構造またはその他の手で掴んだり動作したりするのに適する構造を含んでもよい。また、グリップ部２２の表面には図１１Ａ〜１１Ｃに示す溝または模様２２５を形成してもよいし、グリップ部２２のエッジの少なくとも一部にフランジ２２２を設けてもよく、図２Ｃ、図４Ｃ、図５Ｃ、図８Ｃに示すように、好ましくは、グリップ部２２の端部に形成されるとともに外ハウジング１０の底部２０２の方向に延出し、すなわち、ユーザの正面に向いているパネル３００に対し、フランジ２２２がグリップ部２２のユーザに向いていない側に形成されている。フランジ２２２及び溝／模様の設計は、ノブ２０を掴む着力点を増やすことができる。直立部２１とグリップ部２２との接続箇所は、交角また流線曲面に設計してもよく、すなわち、直立部２１とグリップ部２２との境界は交角であってよいし、境界とその付近の領域とがともに流線状の曲面を形成してもよい。また、図７Ａ〜７Ｃ及び図９Ａ〜９Ｃの実施例に示すように、グリップ部２２は、直立部２１と一部のみ接続してもよく、そのうち、直立部２１が枠状構造６０の少なくとも一方側に形成され、グリップ部２２は、その両端部で直立部２１に接続しているため、パネル３００と互いに間隔を隔てて環状のノブを形成している。
【００２２】
以上のように、プレート部２２０の形状は、幾何形状、例えば、図２Ａ〜２Ｃ及び図４Ａ〜４Ｃに示す台形状、図５Ａ〜５Ｃ及び図６Ａ〜６Ｃに示す少なくとも一部の円形、図７Ａ〜７Ｃ及び図１１Ａ〜１１Ｃに示す矩形、図７Ａ〜７Ｃ及び図９Ａ〜９Ｃに示す少なくとも一部の環状、または三角形、少なくとも一部の楕円状であってよく、さらに図１２Ａ〜１２Ｃに示す不規則形状であってもよい。そのうち、図１２Ａ〜１２Ｃに示す実施例のプレート部２２０は、略波形状のように起伏する造形があってもよい。グリップ部２２、そのプレート部２２０の大きさ及び形状は、ノブ２０の大きさ及び外見に関わっているため、ユーザの握り方（例えば、指で握るか、手の平で握るか）に影響し、ノブ２０とキャビネットとのセット利用（例えば、比較的大型のキャビネットと手の平で握れる大きなノブとの組み合わせ）にも影響を与える。ノブ２０とキャビネットとの組み合わせの場合、例として、図７Ａ〜７Ｃ及び図９Ａ〜９Ｃに示すキャビネット錠１は、引き戸式のキャビネットにも適用可能であり、そのうち、環状のグリップ部２２／プレート部２２０を有するノブ２０は、ユーザが当該グリップ部２２／プレート部２２０を把持してキャビネットの扉プレートに略平行する方向にキャビネットの扉を押し／引きするために用いられる。また、図７Ａ〜７Ｃ及び図９Ａ〜９Ｃに示す実施例では、グリップ部２２を中心（軸）として囲まれる周囲空間は、いずれも手持ち空間２５である。
【００２３】
つまり、パネル３００または本体部２００に接続されるノブ２０の位置は、例えば、キャビネット錠１がキャビネットに設けられる位置、扉が開閉する方式（例えば、扉はキャビネット本体部に枢着するか、引き戸の形式である）、扉の大きさまたは重さ、或いはユーザの操作習慣（例えば、左利きまたは右利きの違いに応じて、ノブがパネルの左側または右側辺に設けられる）によって異なっている。
【００２４】
図１３Ａ〜１３Ｂに示すように、本考案のキャビネット８は、キャビネット本体部８１と、扉８２と、前記キャビネット錠１とを含み、キャビネット本体部８１には収納空間８１０が形成されるとともに開口部８３を有し、扉８２が扉軸８４を介して開口部８３の一方の側縁でキャビネット本体部８１に枢着されることにより、枢転しながらキャビネット本体部８１に対して運動を行う。また、他の実施例では、扉８２は、キャビネット本体部８１に形成された軌道に摺設されている引き戸であってもよい。また、好ましくは、キャビネット錠１を通過させ扉８２に設置するために、扉８２のキャビネット本体部８１に枢着する側対向する側にセット孔８２０が形成されている。本考案の実施例では、扉８２が例えば開口部８３を完全に遮蔽するような特定の位置まで枢転されると、キャビネット錠１は、施錠操作によりキャビネット本体部８１に対する扉８２の運動を制限する。セット孔８２０の形状が外ハウジング１０の本体部２００に対応し、かつ、セット孔８２０の大きさは、内部に少なくとも一部の本体部２００が通過可能な程度の大きさでありながら、パネル３００及び／またはパネル３００を囲む枠状構造６０が通過しないようになっており、言い換えれば、好ましくは、パネル３００の面積がセット孔８２０よりも大きく、セット孔８２０が扉８２におけるパネル３００の投影範囲内に位置している。そのため、好ましくは、扉８２に設けられたキャビネット錠１が、セット孔８２０によりパネル３００を扉８２の一方側の表面から離間させ、本体部２００の少なくとも一部は、セット孔８２０を通って扉８２の他方側の表面に突出してよい。
【００２５】
図１３Ｂに示すように、セット孔８２０中のキャビネット錠１のノブ２０及びパネル３００がセット孔８２０の同一側に位置するとともに、当該本体部２００とは、セット孔８２０の反対する両側にそれぞれ位置している。言い換えれば、パネル３００は、扉８２の収納空間８１０に向いていない側に設けられているため、パネル３００及び露出する開放ユニット５１０とダイヤルが扉８２に露出し、ユーザが操作することができる。一方、ノブ２０が扉８２から突出され、そのグリップ部２２が当該パネル３００のある平面に平行して扉８２と互いに離間され、すなわち、好ましくは、ユーザがグリップ部２２全体を把持可能であり、そのうち、グリップ部２２と扉８２との間が少なくとも一部の手持ち空間２５で隔てられ、ユーザの手が進入することができる。ユーザがダイヤルを操作して解錠する場合には、例えば摘みを時計方向に回転するように開放ユニット５１０を操作して、例えば、キャビネット８の上方または下方に向かい開口部８３近傍のキャビネット本体部８１に係合しない状態になるように、閂板５２０を駆動し非ロック状態まで時計方向に回転させて、扉８２のロックを解放する。続いて、ユーザがノブ２０を掴んで扉８２を開放する。
【００２６】
本考案のキャビネット錠１は、本体部２００がセット孔８２０を通って扉８２に設けられ、ノブ２０がパネル３００とともにセット孔８２０の同一側に位置するとともに、パネル３００の外面３０５に突出して扉８２と分離されるため、セット孔８２０の形状及び／または大きさが本体部２００のみに関わり、ノブ２０の造形の違いに合わせて変る必要がない。言い換えれば、扉８２にキャビネット錠１を設ける場合、適切なノブ２０を有するキャビネット錠１だけを選択すればよく、キャビネット錠１に合わせて特定のセット孔を開設する必要はない。ここで、好ましくは、扉８２には、前記の形状及び／または大きさの適当なセット孔８２０を、予め統一して形成しておけばよい。
【００２７】
前記実施例により、本考案を記述したが、本考案の方法及び構造は、本考案の主旨を逸脱しない範囲であれば補正や変形をすることができる。そのため、本考案は、以上の特定の実施例の記述に限られておらず、本考案の精神及び範囲に真に適合するように、本考案の特許請求の範囲は、全てのこのような補正や変形を含むべきである。
【符号の説明】
【００２８】
１        キャビネット錠
１０      外ハウジング
１１０    第一本体部
１１５    第一側壁
１２０    第二本体部
１２５    第二側壁
２００    本体部
２０００  開口
２０２    底部
２５０    受容領域
３００    パネル
３０１    露出孔
３０２    貫通孔
３０５    外面
４００    ロック機構
４５０    ダイヤル
５００    制限ユニット
５００Ｏ  解錠位置
５００Ｃ  施錠位置
５１０    開放部材
５１５    鍵式錠
５２０    閂板
６０      枠状構造
２０      ノブ
２１      直立部
２２      グリップ部
２５      手持ち空間
２２０    プレート部
２２２    フランジ
２２５    模様／溝
８        キャビネット
８１      キャビネット本体部
８１０    収納空間
８２      扉
８２０    セット孔
８３      開口部
８４      扉軸
１’      キャビネット錠
２’      溝
９        扉
９０      セット孔
Ｄ        延出方向
Ｎ        法線
【図１Ａ】
0003185115.tif 000003
【図１Ｂ】
0003185115.tif 000004
【図２Ａ】
0003185115.tif 000005
【図２Ｂ】
0003185115.tif 000006
【図２Ｃ】
0003185115.tif 000007
【図３Ａ】
0003185115.tif 000008
【図３Ｂ】
0003185115.tif 000009
【図３Ｃ】
0003185115.tif 000010
【図４Ａ】
0003185115.tif 000011
【図４Ｂ】
0003185115.tif 000012
【図４Ｃ】
0003185115.tif 000013
【図５Ａ】
0003185115.tif 000014
【図５Ｂ】
0003185115.tif 000015
【図５Ｃ】
0003185115.tif 000016
【図６Ａ】
0003185115.tif 000017
【図６Ｂ】
0003185115.tif 000018
【図６Ｃ】
0003185115.tif 000019
【図７Ａ】
0003185115.tif 000020
【図７Ｂ】
0003185115.tif 000021
【図７Ｃ】
0003185115.tif 000022
【図８Ａ】
0003185115.tif 000023
【図８Ｂ】
0003185115.tif 000024
【図８Ｃ】
0003185115.tif 000025
【図９Ａ】
0003185115.tif 000026
【図９Ｂ】
0003185115.tif 000027
【図９Ｃ】
0003185115.tif 000028
【図１０Ａ】
0003185115.tif 000029
【図１０Ｂ】
0003185115.tif 000030
【図１０Ｃ】
0003185115.tif 000031
【図１１Ａ】
0003185115.tif 000032
【図１１Ｂ】
0003185115.tif 000033
【図１１Ｃ】
0003185115.tif 000034
【図１２Ａ】
0003185115.tif 000035
【図１２Ｂ】
0003185115.tif 000036
【図１２Ｃ】
0003185115.tif 000037
【図１３Ａ】
0003185115.tif 000038
【図１３Ｂ】
0003185115.tif 000039